(57)【要約】【課題】イレーザが使用時にぐらついたり脱落したりするおそれがないイレーザ付き筆記具を提供する。【解決手段】筆跡を消去可能なイレーザ３が取り付けられたイレーザ付き筆記具であって、イレーザ３が挿入保持可能な取付孔２３を備え、取付孔２３の周壁にストレート状のピン４を打ち込み、ピン４がイレーザ３を貫通し、ピン４の両端部が取付孔２３の周壁に保持される。取付孔２３の周壁の外面が横断面長方形形状であり、横断面長方形形状の長辺側の周壁にピン４の両端部が保持される。取付孔２３の周壁の対向する外面に一対の凹部２４を形成し、凹部２４の底壁にピン４の両端部が保持される。【選択図】  図３
2011088423.tif 000002
【特許請求の範囲】
【請求項１】
筆跡を消去可能なイレーザが取り付けられたイレーザ付き筆記具であって、イレーザが挿入保持可能な取付孔を備え、前記取付孔の周壁にストレート状のピンを打ち込み、前記ピンがイレーザを貫通し、前記ピンの両端部が前記取付孔の周壁に保持されることを特徴とするイレーザ付き筆記具。
【請求項２】
前記取付孔の周壁の外面が横断面長方形形状であり、前記横断面長方形形状の長辺側の周壁にピンの両端部が保持される請求項１記載のイレーザ付き筆記具。
【請求項３】
前記取付孔の周壁の対向する外面に一対の凹部を形成し、前記凹部の底壁にピンの両端部が保持される請求項１または２記載のイレーザ付き筆記具。
【請求項４】
前記凹部が軸方向に延びる溝である請求項３記載のイレーザ付き筆記具。
【発明の詳細な説明】
【技術分野】
【０００１】
本発明は、イレーザ付き筆記具に関する。詳細には、筆跡を消去可能なイレーザが取り付けられた筆記具に関する。
【背景技術】
【０００２】
従来、この種の筆記具において、特許文献１には、マーカー部とその端部に取り付けられる字消し部とから成り、前記字消し部が、払拭体挿入部を有するホルダーと、挟持板に挟持されて前記払拭体挿入部に装脱可能に挿入される払拭体とから成る字消し具付きマーカーが記載されている。
【先行技術文献】
【特許文献】
【０００３】
【特許文献１】特開２００１−３４７７９２号公報
【発明の概要】
【発明が解決しようとする課題】
【０００４】
前記特許文献１の筆記具は、払拭体（本願のイレーザに相当）が挟持板に挟持されて取り付けられているに過ぎないため、使用時に払拭体がぐらついたり脱落したりするおそれがある。
【０００５】
本発明は、イレーザが使用時にぐらついたり脱落したりするおそれがないイレーザ付き筆記具を提供しようとするものである。
【課題を解決するための手段】
【０００６】
＜１＞本願の第１の発明は、筆跡を消去可能なイレーザ３が取り付けられたイレーザ付き筆記具であって、イレーザ３が挿入保持可能な取付孔２３を備え、前記取付孔２３の周壁にストレート状のピン４を打ち込み、前記ピン４がイレーザ３を貫通し、前記ピン４の両端部が前記取付孔２３の周壁に保持されることを要件とする。
【０００７】
前記第１の発明のイレーザ付き筆記具１は、取付孔２３の周壁にストレート状のピン４を打ち込み、ピン４がイレーザ３を貫通し、ピン４の両端部が取付孔２３の周壁に保持されることにより、イレーザ３が使用時にぐらついたり脱落したりすることを防止できる。
【０００８】
＜２＞本願の第２の発明は、前記第１の発明のイレーザ付き筆記具１において、前記取付孔２３の周壁の外面が横断面長方形形状であり、前記横断面長方形形状の長辺側の周壁にピン４の両端部が保持されることを要件とする。
【０００９】
前記第２の発明のイレーザ付き筆記具１は、取付孔２３の周壁の外面が横断面長方形形状であり、前記横断面長方形形状の長辺側の周壁にピン４の両端部が保持されることにより、横断面長方形形状の短辺側の周壁にピン４を打ち込む場合に比べ、長手寸法の短いピン４を用いることができ、その結果、材料コストを削減することができ、且つ、ピン４の曲がりを防止できる。
【００１０】
＜３＞本願の第３の発明は、前記第１または第２の発明のイレーザ付き筆記具１において、前記取付孔２３の周壁の対向する外面に一対の凹部２４を形成し、前記凹部２４の底壁にピン４の両端部が保持されることを要件とする。
【００１１】
前記第３の発明のイレーザ付き筆記具１は、取付孔２３の周壁の対向する外面に一対の凹部２４を形成し、前記凹部２４の底壁にピン４の両端部が保持されることにより、ピン４の長手寸法のバラツキや、ピン４の打ち込み量のバラツキが生じても、ピン４の端部が取付孔２３の周壁の凹部２４周囲の外面から突出することを回避できる。
【００１２】
＜４＞本願の第４の発明は、前記第３の発明のイレーザ付き筆記具１において、前記凹部２４が軸方向に延びる溝であることを要件とする。
【００１３】
前記第４の発明のイレーザ付き筆記具１は、前記凹部２４が軸方向に延びる溝であることにより、ピン４を打つ位置や、ピン４の本数を自由に選択できる。
【発明の効果】
【００１４】
本発明のイレーザ付き筆記具は、イレーザが使用時にぐらついたり脱落したりすることを防止できる。
【図面の簡単な説明】
【００１５】
【図１】本発明のイレーザ付き筆記具の第１の実施の形態を示す正面図である。
【図２】図１の側面図である。
【図３】図１のＡ−Ａ線断面図である。
【図４】図２のＢ−Ｂ線断面図である。
【図５】図１のＣ−Ｃ線断面図である。
【図６】本発明のイレーザ付き筆記具の第２の実施の形態を示す正面図である。
【図７】図６の側面図である。
【図８】図６のＤ−Ｄ線断面図である。
【図９】図７のＥ−Ｅ線断面図である。
【図１０】図６のＦ−Ｆ線断面図である。
【発明を実施するための形態】
【００１６】
＜第１の実施の形態＞
本発明の第１の実施の形態を説明する（図１乃至図５参照）。
本発明のイレーザ付き筆記具１は、筆跡が消去可能なイレーザ３が取り付けられたキャップ２と、該キャップ２が着脱自在の筆記具本体５とからなる。
【００１７】
・キャップ
前記キャップ２は、横断面長方形形状の外面を有する第１の筒部２１と、横断面円形状の外面を有する第２の筒部２２とが、合成樹脂（例えばポリプロピレン樹脂等）の射出成形により一体に連設される。前記第１の筒部２１及び第２の筒部２２は、有底筒状であり、前記第１の筒部２１の底壁は、前記第２の筒部２２の底壁を兼ねる。
【００１８】
前記第１の筒部２１は、横断面長方形形状の内面を有する取付孔２３を有し、該取付孔２３内に直方体形状の多孔質体からなるイレーザ３が圧入固着される。前記イレーザ３の一端部は、第１の筒部２１の取付孔２３の開口端部より外部に突出される。前記イレーザ３を構成する多孔質体は、例えば、フェルト、繊維の樹脂加工体、合成樹脂のポーラス体が挙げられる。
【００１９】
前記第１の筒部２１の周壁（即ち取付孔２３の周壁）の横断面長方形形状の長辺側の一方の外面から、金属製（例えばステンレス鋼製）のストレート状の棒状体からなるピン４が打ち込まれる。前記ピン４がイレーザ３を貫通し、前記ピン４の両端部が、第１の筒部２１の横断面長方形形状の長辺側の両方の周壁に保持される。
【００２０】
前記第１の筒部２１の対向する横断面長方形形状の長辺側の両方の周壁外面には、一対の凹部２４が形成される。前記凹部２４の内径は、ピン４の外径より大きく設定される。前記各々の凹部２４の底壁にピン４の各々の端部が保持される。
【００２１】
前記ピン４の全長は、対向する凹部２４の周囲の両外面の距離（即ち、前記第１の筒部２１の対向する横断面長方形形状の長辺側の両方の周壁外面の距離）より、小さく形成される。それにより、ピン４の両端が、凹部２４周囲の外面から突出することを回避できる。
【００２２】
尚、本実施の形態では、第１の筒部２１の周壁（即ち取付孔２３の周壁）に、１本のピン４が打ち込まれているが、これ以外にも、イレーザ３の取付強度を増加させるためにピン４を複数本、打ち込むことも可能である。
【００２３】
前記第２の筒部２２の内面は、横断面円形状であり、筆記具本体５（軸筒５１）のペン先５２側の外面に着脱自在に嵌合される。
【００２４】
・筆記具本体
前記筆記具本体５は、軸筒５１の一端にペン先５２（例えば、繊維加工体、多孔質体）を備え、軸筒５１の内部にインキ（例えばホワイトボード等の筆記板用インキ）が収容される。前記インキがペン先５２より吐出可能である。前記インキによる筆跡を、イレーザ３により払拭することにより、消去できる。前記軸筒５１のペン先５２側の外面は横断面円形状である。前記キャップ２の第２の筒部２２の内面が、軸筒５１のペン先５２側の外面に装着されることにより、ペン先５２が密封される。尚、本実施の形態では、イレーザ３をキャップに取り付けているが、これ以外にも、本発明ではイレーザ３を軸筒５１の後端部に取り付けてもよい。
【００２５】
本実施の形態のイレーザ付き筆記具１は、取付孔２３の周壁にストレート状のピン４を打ち込み、ピン４がイレーザ３を貫通し、ピン４の両端部が取付孔２３の周壁に保持されることにより、イレーザ３が使用時にぐらついたり脱落したりすることを防止できる。
【００２６】
本実施の形態のイレーザ付き筆記具１は、取付孔２３の周壁の外面が横断面長方形状であり、前記横断面長方形状の長辺側の周壁にピン４の両端部が保持されることにより、横断面長方形状の短辺側の周壁にピン４を打ち込む場合に比べ、長手寸法の短いピン４を用いることができ、その結果、材料コストを削減することができ、且つ、ピン４の曲がりの防止できる。
【００２７】
本実施の形態のイレーザ付き筆記具１は、取付孔２３の周壁の対向する外面に一対の凹部２４を形成し、前記凹部２４の底壁にピン４の両端部が保持されることにより、ピン４の長手寸法のバラツキや、ピン４の打ち込み量のバラツキが生じても、ピン４の端部が取付孔２３の周壁の凹部２４周囲の外面から突出することを回避できる。
【００２８】
＜第２の実施の形態＞
本発明の第２の実施の形態を説明する（図６乃至図１０参照）。
本発明のイレーザ付き筆記具１は、筆跡が消去可能なイレーザ３が取り付けられたキャップ２と、該キャップ２が着脱自在の筆記具本体５とからなる。
【００２９】
・キャップ
前記キャップ２は、横断面長方形形状の外面を有する第１の筒部２１と、横断面円形状の外面を有する第２の筒部２２とが、合成樹脂（例えばポリプロピレン樹脂等）の射出成形により一体に連設される。前記第１の筒部２１及び第２の筒部２２は、有底筒状であり、前記第１の筒部２１の底壁は、前記第２の筒部２２の底壁を兼ねる。
【００３０】
前記第１の筒部２１は、横断面長方形形状の内面を有する取付孔２３を有し、該取付孔２３内に直方体形状の多孔質体からなるイレーザ３が圧入固着される。前記イレーザ３の一端部は、第１の筒部２１の取付孔２３の開口端部より外部に突出される。前記イレーザ３を構成する多孔質体は、例えば、フェルト、繊維の樹脂加工体、合成樹脂のポーラス体が挙げられる。
【００３１】
前記第１の筒部２１の周壁（即ち取付孔２３の周壁）の横断面長方形形状の長辺側の一方の外面から、金属製（例えばステンレス鋼製）のストレート状の棒状体からなるピン４が打ち込まれる。前記ピン４がイレーザ３を貫通し、前記ピン４の両端部が、第１の筒部２１の横断面長方形形状の長辺側の両方の周壁に保持される。
【００３２】
前記第１の筒部２１の対向する横断面長方形形状の長辺側の両方の周壁外面には、軸方向に延びる凹部２４が形成される。前記凹部２４は、横断面長方形形状の長辺側の各々の周壁外面に、複数本（例えば３本）形成される。前記凹部２４は、軸方向に貫通される。前記凹部２４の幅は、ピン４の外径より大きく設定される。前記各々の凹部２４の底壁にピン４の各々の端部が保持される。
【００３３】
前記ピン４の全長は、対向する凹部２４の周囲の両外面の距離（即ち、前記第１の筒部２１の対向する横断面長方形形状の長辺側の両方の周壁外面の距離）より、小さく形成される。それにより、ピン４の両端が、凹部２４周囲の外面から突出することを回避できる。
【００３４】
尚、本実施の形態では、第１の筒部２１の周壁（即ち取付孔２３の周壁）に、１本のピン４が打ち込まれているが、これ以外にも、イレーザ３の取付強度を増加させるためにピン４を複数本、打ち込むことも可能である。
【００３５】
前記第２の筒部２２の内面は、横断面円形状であり、筆記具本体５（軸筒５１）のペン先５２側の外面に着脱自在に嵌合される。
【００３６】
・筆記具本体
前記筆記具本体５は、軸筒５１の一端にペン先５２（例えば、繊維加工体、多孔質体）を備え、軸筒５１の内部にインキ（例えばホワイトボード等の筆記板用インキ）が収容される。前記インキがペン先５２より吐出可能である。前記インキによる筆跡を、イレーザ３により払拭することにより、消去できる。前記軸筒５１のペン先５２側の外面は横断面円形状である。前記キャップ２の第２の筒部２２の内面が、軸筒５１のペン先５２側の外面に装着されることにより、ペン先５２が密封される。尚、本実施の形態では、イレーザ３をキャップに取り付けているが、これ以外にも、本発明ではイレーザ３を軸筒５１の後端部に取り付けてもよい。
【００３７】
本実施の形態のイレーザ付き筆記具１は、取付孔２３の周壁にストレート状のピン４を打ち込み、ピン４がイレーザ３を貫通し、ピン４の両端部が取付孔２３の周壁に保持されることにより、イレーザ３が使用時にぐらついたり脱落したりすることを防止できる。
【００３８】
本実施の形態のイレーザ付き筆記具１は、取付孔２３の周壁の外面が横断面長方形状であり、前記横断面長方形状の長辺側の周壁にピン４の両端部が保持されることにより、横断面長方形状の短辺側の周壁にピン４を打ち込む場合に比べ、長手寸法の短いピン４を用いることができ、その結果、材料コストを削減することができ、且つ、ピン４の曲がりを防止できる。
【００３９】
本実施の形態のイレーザ付き筆記具１は、取付孔２３の周壁の対向する外面に一対の凹部２４を形成し、前記凹部２４の底壁にピン４の両端部が保持されることにより、ピン４の長手寸法のバラツキや、ピン４の打ち込み量のバラツキが生じても、ピン４の端部が取付孔２３の周壁の凹部２４周囲の外面から突出することを回避できる。
【００４０】
本実施の形態のイレーザ付き筆記具１は、前記凹部２４が軸方向に延びる溝であることにより、ピン４を打つ位置や、ピン４の本数を自由に選択できる。
【符号の説明】
【００４１】
１  イレーザ付き筆記具
２  キャップ
２１  第１の筒部
２２  第２の筒部
２３  取付孔
２４  凹部
３  イレーザ
４  ピン
５  筆記具本体
５１  軸筒
５２  ペン先
【図１】
2011088423.tif 000003
【図２】
2011088423.tif 000004
【図３】
2011088423.tif 000005
【図４】
2011088423.tif 000006
【図５】
2011088423.tif 000007
【図６】
2011088423.tif 000008
【図７】
2011088423.tif 000009
【図８】
2011088423.tif 000010
【図９】
2011088423.tif 000011
【図１０】
2011088423.tif 000012